(57)【要約】【課題】薬を包装するＰＴＰ包装シートにおける持ち難さを改善する。【解決手段】本発明の一実施形態に係るＰＴＰ包装シート１０は、収容部１６を有する第１シート体１２と、該第１シート体に接合されて前記収容部との間に医薬品を収容するための収容空間Ｓを形成する第２シート体１４とを備える。前記第１シート体及び前記第２シート体の少なくともいずれか一方の側には、厚さ方向ＴＤに突き出た突出部３０が形成されている。【選択図】図１
2020168124.tif 000002
【特許請求の範囲】
【請求項１】
収容部を有する第１シート体と、
該第１シート体に接合されて前記収容部との間に医薬品を収容するための収容空間を形成する第２シート体と
を備え、
前記第１シート体及び前記第２シート体の少なくともいずれか一方の側には、厚さ方向に突き出た突出部が形成されている、
ＰＴＰ包装シート。
【請求項２】
前記第１シート体側に、複数の収容部と、複数の摘み突出部とが形成されていて、
前記摘み突出部は前記収容部を超える前記厚さ方向の長さを有している、
請求項１に記載のＰＴＰ包装シート。
【請求項３】
前記複数の収容部の数は、前記複数の摘み突出部の数と同じである、
請求項１又は２に記載のＰＴＰ包装シート。
【発明の詳細な説明】
【技術分野】
【０００１】
本発明は、錠剤やカプセルといった医薬品を包装するＰＴＰ包装シートに関する。
【背景技術】
【０００２】
従来、薬剤やカプセルといった医薬品を包装する包装シートとして、ＰＴＰ（Ｐｒｅｓｓ  Ｔｈｒｏｕｇｈ  Ｐａｃｋａｇｅ）包装シート（例えば特許文献１参照）が用いられている。ＰＴＰ包装シートは、収容部が形成された第１シート体と、この第１シート体と接合されてその収容部との間に医薬品を収容するための収容空間を形成する第２シート体とを備えている。このＰＴＰ包装シートでは、その収容部を押圧して、収容空間に収容された医薬品で第２シート体の膜部を突き破ることにより、当該医薬品を取り出すことができる。
【先行技術文献】
【特許文献】
【０００３】
【特許文献１】実公平１−８５３５号公報
【発明の概要】
【発明が解決しようとする課題】
【０００４】
通常、１枚のＰＴＰ包装シートには、複数（例えば１０個）の薬が収容されるように、複数の収容部が形成されている。そして、そのＰＴＰ包装シートには、少ない数の医薬品のシート片を切り離せるように、ミシン目等の区画線が形成されている。一方、ＰＴＰ包装シートは概して医薬品の大きさに応じた厚みを有するに過ぎず、小さな医薬品用のＰＴＰ包装シートでは上記収容部の突出量も小さい。それ故、ＰＴＰ包装シートは、特に分離されたＰＴＰ包装シートのシート片は、薄くかつ小さいので掴み難いといった問題があった。
【０００５】
そこで、本発明は、上記課題に鑑みて創案されたものであり、その目的は、ＰＴＰ包装シートにおける掴み難さを改善することにある。
【課題を解決するための手段】
【０００６】
上記目的を達成するために、本発明の一態様は、
収容部を有する第１シート体と、
該第１シート体に接合されて前記収容部との間に医薬品を収容するための収容空間を形成する第２シート体と
を備え、
前記第１シート体及び前記第２シート体の少なくともいずれか一方の側には、厚さ方向に突き出た突出部が形成されている、
ＰＴＰ包装シート
を提供する。
【０００７】
好ましくは、前記第１シート体側に、複数の収容部と、複数の摘み突出部とが形成されていて、前記摘み突出部は前記収容部を超える前記厚さ方向の長さを有している。
【０００８】
前記複数の収容部の数は、前記複数の摘み突出部の数と同じであるとよい。
【発明の効果】
【０００９】
本発明の上記一態様によれば、上記構成を備えるので、ＰＴＰ包装シートにおける掴み難さを改善することができる。
【図面の簡単な説明】
【００１０】
【図１】本発明の一実施形態に係るＰＴＰ包装シートの斜視図である。
【図２】図１のＰＴＰ包装シートにおける、任意の１つの収容部とそれに対応付けられた摘み突出部とを表した図である。
【図３】図１のＰＴＰ包装シートのシート片を表した図であり、（ａ）は２錠の錠剤のシート片の図であり、（ｂ）は１錠の錠剤のシート片の図である。
【図４】（ａ）から（ｄ）はそれぞれ図１のＰＴＰ包装シートの変形例を示す図である。
【図５】（ａ）は本発明の他の実施形態に係るＰＴＰ包装シートの図であり、（ｂ）はその１錠の錠剤のシート片の図である。
【発明を実施するための形態】
【００１１】
以下、本発明に係る実施形態を添付図に基づいて説明する。同一の部品（又は構成）には同一の符号を付してあり、それらの名称及び機能も同じである。したがって、それらについての詳細な説明は繰返さない。
【００１２】
図１は、本発明の一実施形態に係るＰＴＰ包装シート（以下、ＰＴＰシート）１０の斜視図である。ＰＴＰシート１０は、１０錠の医薬品の錠剤Ｍを包装するものである。ＰＴＰシート１０は、図１に示すように、薄いシート状体である。なお、本発明のＰＴＰシートでそこに収容され得る医薬品は、錠剤Ｍに限らず、例えばカプセルであってもよい。
【００１３】
ＰＴＰシート１０は、第１シート体１２と、第２シート体１４とを備える。第２シート体１４は、第１シート体１２に接合されて、第１シート体１２と一体的になっている。
【００１４】
第１シート体１２は、種々の合成樹脂製シートであり得、ここではプラスチックシートである。第１シート体１２は、ある程度の可撓性を有し、特に人の手の指の力で（つまり所定の力以上の力で）簡単に変形させることができるものである。第１シート体１２は、透明、半透明又は不透明であってもよいが、好ましくは透明又は半透明である。また、第１シート体１２は種々の色を有し得、カラフルな色がついていてもよい。第１シート体１２は、ポケット状の又は凹形状の収容部１６を備える。収容部１６は、そこに錠剤Ｍをすっぽりと入れることができる大きさを有する。更に、収容部１６は、錠剤Ｍに適した形状を有する。ここでは、錠剤Ｍが略円板状であるので、円錐台形状を有する。例えば、錠剤Ｍが細長い形状を有する場合、収容部１６も細長い形状を有することができる。第１シート体は複数の収容部１６を有し、これら収容部１６をその周縁部で相互につなげる平らなシート状部１８を有する。ＰＴＰシート１０では、図１に示すように、１０個の収容部１６が、２列に設けられている。しかし、これは、収容部１６の数や配列を限定するものではない。例えば、一枚のＰＴＰシート１０における収容部１６の数は１２個又は１４個であり得るが１つであってもよい。なお、第１シート体１２は、１つの収容部１６のみで実質的に形成されてもよい。
【００１５】
第２シート体１４は、アルミニウム箔などの金属、プラスチックといった合成樹脂及び／又は紙材等を貼り合わせることで作製可能であり、ここではアルミニウム箔層を含む概ね平らなシートである。第２シート体１４は、第１シート体１２にその収容部１６を閉じるように、接着剤等で貼り合わせられている。第２シート体１４が第１シート体１２に貼られて、それにより収容部１６との間に錠剤Ｍを収容するための収容空間Ｓが形成されている。収容空間Ｓを部分的に定める第２シート体１４の部分１４ａ（図１参照）は、人の手の爪で又は指の力で容易に破くことができる膜部として形成されている。図１では、ＰＴＰシート１０の一部が破断され、一つの収容空間Ｓが開放し、よってそこに収容された錠剤Ｍの残りが露出している。なお、第２シート体１４は、膜部１４ａのみで形成されてもよい。
【００１６】
上記構成を備えるＰＴＰシート１０では、前述のように、１０個の収容部１６が２列に設けられている。そして、２錠の錠剤Ｍを１セットにすることを可能にするように、区画線としてのミシン目２０がつけられている。１錠ずつに分けるミシン目が設けられていないのは、切り離したＰＴＰシートの片（以下、シート片）２２の、例えば誤飲を防ぐためである。ただし、ＰＴＰシート１０を収容部１６以外の箇所で鋏等で切り分けて小分けにすることで、１錠ずつ切り離すことは可能である。
【００１７】
さて、切り離したシート片２２は小さくかつ薄い。もちろん、錠剤Ｍの大きさによっては、シート片２２はある程度の大きさや厚さを有し得る。しかし、錠剤Ｍは概して小さく、最大の長さを有し得る幅でさえ１ｃｍに満たないものがかなりある。したがって、シート片２２を机の上など平らなところに置いたときには、患者等のユーザは例えば収容部１６を手の親指と人差し指で挟むようにしてシート片２２を摘まもうとするが、その収容部１６の摘まみ難さ又は掴み難さゆえ、その扱いが難しい。例えば、ユーザは、シート片２２を手に取るとき、それが置かれている机の端までシート片２２を滑らせるように移動させて、その端から掌に載せることを行う。この場合、机の端があるからシート片２２を簡単に取ることができるが、そのような端などの部分がないとき、シート片２２を掴むつまり取ることは難しくなる。
【００１８】
そこで、ＰＴＰシート１０では、摘み突出部３０を設けている。摘み突出部３０は、ここでは薄片部であり、より具体的には羽状の部分である。摘み突出部３０は、収容部１６の数に相当する数だけ設けられている。つまり、複数の摘み突出部３０の数は、ここでは薬の数に相当する複数の収容部１６の数と同じである。各摘み突出部３０は、図１に示すように、対応付けられている収容部１６のすぐ傍に配置されている。
【００１９】
摘み突出部３０は、第１シート体１２の一部として構成されていて、上記材料で構成されている。ただし、摘み突出部３０は、第１シート体１２と別に製造されて、第１シート体に取り付けられてもよい。摘み突出部３０は、第１シート体１２の材料以外の材料から作製されてもよく、例えばゴム等の材料から作製されてもよい。
【００２０】
摘み突出部３０は、ＰＴＰシート１０に沿ってそれに略平行に延びる仮想面ＩＳを定めるとき、仮想面ＩＳに直交する厚さ方向ＴＤにおいて、シート状部１８から、収容部１６と同じ側に突き出るように延出する。また、摘み突出部３０は、複数のミシン目２０に直交する線ＬをＰＴＰシート１０の中心に定めるとき、この線Ｌから離れるに従って突出量が増すように形付けられている。図２に示すように、仮想面ＩＳからの厚さ方向ＴＤでの突出量に関して、収容部１６の突出量つまり長さ１６Ｄよりも、摘み突出部３０の最大の突出量つまり長さ３０Ｄは長い。ただし、収容部１６の突出量１６Ｄよりも、摘み突出部３０の最大の突出量３０Ｄが短い形態を本発明は排除するものではない。なお、摘み突出部３０は収容部１６から離れているが、収容部１６に連続して設けられてもよい。
【００２１】
このように、ＰＴＰシート１０には上記摘み突出部３０が収容部１６毎に設けられているので、例えば２錠の錠剤を有する図３（ａ）に示すシート片２２ａは、２つの摘み突出部３０を有する。また、１錠の錠剤を有する図３（ｂ）に示すシート片２２ｂは、１つの摘み突出部３０を有する。したがって、ユーザは、ＰＴＰシート１０やシート片２２ａ、２２ｂを掴むときつまり取るとき、それらの１つ又は複数の摘み突出部３０を容易に摘まんで掴むつまり取るができるようになる。なお、摘み突出部３０は、上記の如くある程度以上の突出量を有し、かつ、薄片状であるので、摘まみ易い。
【００２２】
なお、上記実施形態では、ＰＴＰシート１０の第１シート体１２に上記摘み突出部３０を設けたが、その摘み突出部３０又はそれ以外の突出部がＰＴＰシートの同じ第１シート体側に又は反対の第２シート体側に、種々の箇所に設けられてもよい。
【００２３】
図４に、第１実施形態のＰＴＰシート１０の変形例としてのＰＴＰシート１０ａ、１０ｂ、１０ｃ、１０ｄのそれぞれの一部を示す。図４（ａ）のＰＴＰシート１０ａは、摘み突出部３０ａが収容部１６と一体的に形成され、その形が突出量が一定の略長方形の形となっていて、かつ、その突出量が全体的に収容部の突出量よりも大きい点で、第１実施形態のＰＴＰシート１０と相違し、その他の点で同じである。図４（ｂ）のＰＴＰシート１０ｂは、摘み突出部３０ｂが収容部１６と一体的に形成され、その形が突出量が一定の略長方形の形となっていて、摘み突出部３０ｂの突出量が収容部１６の突出量と略同じである点で、第１実施形態のＰＴＰシート１０と相違し、その他の点で同じである。図４（ｃ）のＰＴＰシート１０ｃは、摘み突出部３０ｃが収容部１６と一体的に形成され、摘み突出部３０ｃの突出量が関連付けられている収容部側で収容部１６の突出量と略同じであって最も小さく、かつ、その収容部から離れるに従って大きくなる点で、第１実施形態のＰＴＰシート１０と相違し、その他の点で同じである。なお、図４（ｃ）のＰＴＰシート１０ｃは、図４（ｂ）のＰＴＰシート１０ｂと摘み突出部の形状の点で相違するだけであり、摘み突出部３０ｃの形状は第１実施形態のＰＴＰシート１０の摘み突出部３０のそれと概ね同じである。図４（ａ）のＰＴＰシート１０ａにおいても、その摘まみ突出部３０ａは、第１実施形態のＰＴＰシート１０の摘み突出部３０と同じように、そのＰＴＰシートの外側ほど突出量が大きくなるように変更可能である。図４（ｄ）のＰＴＰシート１０ｄは、摘み突出部３０ｄが細長いロッド状であり、厚さ方向ＴＤにおいて第１シート体１２側に突き出るように延出し、かつ、その突出量が収容部の突出量よりも大きい点で、第１実施形態のＰＴＰシート１０と相違し、その他の点で同じである。このように、本発明に係るＰＴＰシートにおいては、摘み突出部は、ＰＴＰシートの第１シート体側に設けられる場合、収容部から離れて構成されてもそれと一体的に構成されても、薄いシート状以外の種々の形状を有しても、その突出量が収容部の突出量よりも大きくても同じであっても、更には小さくてもよい。摘み突出部は、ＰＴＰシートやシート片の摘み易さ又は掴み易さを改善する種々の構成を有し得る。また、摘み突出部の設置個所は、対応する収容部の概して外側であることに限定されず、内側であってもよく、種々の箇所に定められ得る。また、摘み突出部は、複数の収容部に共通して設けられてもよい。
【００２４】
図５（ａ）に、第２シート体１４側に複数の支持用の突出部（以下、支持突出部）４０を設けた、別の実施形態のＰＴＰシート１１０を示す。支持突出部４０は例えば円柱状又は角柱状であり得、各収容部１６に対して設けられている。このＰＴＰシート１１０ではその全体を複数の支持突出部４０により支持可能である。図５（ａ）の場合、複数の支持突出部４０によりＰＴＰシート１１０の大部分が机等の載置面Ｔから離されているので、人は手の指の腹でＰＴＰシート１１０を引っかけて容易にとることができる。この支持突出部４０は、ＰＴＰシート１１０のシート片１２２においても、図５（ｂ）から明らかなように、その掴み難さを改善する効果を奏することができる。なお、支持突出部４０は、例えば上記摘み突出部３０、３０ａ、３０ｂ、３０ｃ、３０ｄのいずれかと同じ形状を有するように変更可能である。
【００２５】
上記の実施形態及びその変形例はあくまでも一例であって、本発明はその要旨を逸脱しない範囲内で適宜変更して実施しうる。本開示において説明した手段又は構成は、技術的な矛盾が生じない限りにおいて、自由に組み合わせて実施することができる。例えば、１枚のＰＴＰシートは、上記摘み突出部３０と、支持突出部４０との両方を備えることも可能である。
【符号の説明】
【００２６】
１０、１０ａ、１０ｂ、１０ｃ、１０ｄ、１１０  ＰＴＰ包装シート
１２  第１シート体
１４  第２シート体
１６  収容部
１８  シート状部
２０  ミシン目
２２、２２ａ、２２ｂ、１２２  シート片
３０、３０ａ、３０ｂ、３０ｃ、３０ｄ  摘み突出部
４０  支持突出部
【図１】
2020168124.tif 000003
【図２】
2020168124.tif 000004
【図３】
2020168124.tif 000005
【図４】
2020168124.tif 000006
【図５】
2020168124.tif 000007
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
収容部を有する第１シート体と、
該第１シート体に接合されて前記収容部との間に医薬品を収容するための収容空間を形成する第２シート体と
を備え、
前記収容部と摘み突出部とは、前記第１シート体側において厚さ方向に突き出ていて、
前記厚さ方向において、前記収容部の突出量よりも、前記摘み突出部の最大の突出量は大きく、
前記摘み突出部は薄片状である、
ＰＴＰ包装シート。
【請求項２】
前記第２シート体側に支持突出部が更に設けられている、
請求項１に記載のＰＴＰ包装シート。
【請求項３】
複数の前記収容部の数は、複数の前記摘み突出部の数と同じである、
請求項１又は２に記載のＰＴＰ包装シート。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
収容部を有する第１シート体と、
該第１シート体に接合されて前記収容部との間に医薬品を収容するための収容空間を形成する第２シート体と
を備え、
前記第１シート体に摘み突出部が設けられ、
前記収容部と前記摘み突出部とは、前記第１シート体側において厚さ方向に突き出ていて、
前記厚さ方向において、前記収容部の突出量よりも、前記摘み突出部の最大の突出量は大きく、
前記摘み突出部は薄片状であり、
前記第２シート体に支持突出部は設けられていて、
該支持突出部は、前記第２シート体側において前記厚さ方向に突き出ている、
ＰＴＰ包装シート。
【請求項２】
複数の前記収容部の数は、複数の前記摘み突出部の数と同じである、
請求項１に記載のＰＴＰ包装シート。